(57)【要約】【課題】光ディスクへの記録パワーを制御する際、記録時間の短縮と記録品質の安定化を両立させること。【解決手段】情報を記録中にレーザ光の出力パワーが目標値から所定量以上ずれたとき、または周囲温度が記録開始時の周囲温度から所定量以上ずれたとき、情報の記録を一旦停止する。そして、光ディスクから直前に記録した情報を再生して再生波形のβ値（振幅の対称性）を測定し、目標のβ値との差に基づいて出力パワーの新たな目標値を設定し、情報の記録を再開する。【選択図】図５
2007080404.tif 000002
【特許請求の範囲】
【請求項１】
光ディスクにレーザ光を照射して情報を記録する光ディスク装置において、
該光ディスクにレーザ光を照射する光ピックアップと、
該レーザ光の出力パワーを検出するフロントモニタと、
該レーザ光の出力パワーを制御するパワー制御部と、
再生波形のβ値（振幅の対称性）を測定するβ値検出部と、
上記フロントモニタと上記β値検出部の出力に基づき、情報の記録動作と上記パワー制御部を制御するマイコンとを備え、
該マイコンは、
上記パワー制御部に対しレーザ光の出力パワーの目標値を設定して情報の記録を開始させ、
情報を記録中に上記フロントモニタの検出するレーザ光の出力パワーが上記目標値から所定量以上ずれたとき、出力パワーの異常と判断して上記情報の記録を一旦停止させ、
光ディスクから直前に記録した情報を再生して上記β値検出部にて再生波形のβ値を測定させ、該測定したβ値と目標のβ値の差に基づいて上記パワー制御部に対して出力パワーの新たな目標値を設定し、
該新たに設定した出力パワーで情報の記録を再開させることを特徴とする光ディスク装置。
【請求項２】
請求項１記載の光ディスク装置において、
前記パワー制御部は、前記出力パワーが一定になるように出力設定値を自動制御しているとき、
前記マイコンは、該パワー制御部の出力設定値が該出力パワーに対する基準設定値から所定量以上ずれたとき前記出力パワーの異常と判断することを特徴とする光ディスク装置。
【請求項３】
光ディスクにレーザ光を照射して情報を記録する光ディスク装置において、
該光ディスクにレーザ光を照射する光ピックアップと、
該レーザ光の出力パワーを制御するパワー制御部と、
再生波形のβ値（振幅の対称性）を測定するβ値検出部と、
上記光ピックアップの周囲温度を検出する温度センサと、
上記温度センサと上記β値検出部の出力に基づき、情報の記録動作と上記パワー制御部を制御するマイコンとを備え、
該マイコンは、
上記パワー制御部に対しレーザ光の出力パワーの目標値を設定して情報の記録を開始させ、
情報を記録中の周囲温度が記録開始時の周囲温度から所定量以上ずれたとき、温度変化の異常と判断して上記情報の記録を一旦停止させ、
光ディスクから直前に記録した情報を再生して上記β値検出部にて再生波形のβ値を測定させ、該測定したβ値と目標のβ値の差に基づいて上記パワー制御部に対して出力パワーの新たな目標値を設定し、
該新たに設定した出力パワーで情報の記録を再開させることを特徴とする光ディスク装置。
【請求項４】
請求項１ないし３のいずれか１項記載の光ディスク装置において、
前記マイコンは、
前記情報を記録中に前記出力パワーの異常又は前記温度変化の異常と判断しない場合でも、前回の記録停止時点から所定間隔Ｌ１だけ隔てた時点で情報の記録を一旦停止させ、前記再生波形のβ値を測定して前記新たに設定した出力パワーで情報の記録を再開させることを特徴とする光ディスク装置。
【請求項５】
請求項１ないし３のいずれか１項記載の光ディスク装置において、
前記マイコンは、
前記情報を記録中に前記出力パワーの異常又は前記温度変化の異常と判断しない場合でも、前回の記録停止時点から所定間隔Ｌ１だけ隔てた時点で情報の記録を一旦停止させ、前記再生波形のβ値を測定して前記新たに設定した出力パワーで情報の記録を再開させるとともに、
前記情報を記録中に前記出力パワーの異常又は前記温度変化の異常と判断した場合、前回の記録停止時点から当該異常判断時点までの間隔が所定間隔Ｌ２（ただしＬ２＜Ｌ１）未満のときは、前回の記録停止時点から該所定間隔Ｌ２だけ隔てた時点で情報の記録を一旦停止させ、前記再生波形のβ値を測定して前記新たに設定した出力パワーで情報の記録を再開させることを特徴とする光ディスク装置。
【請求項６】
光ディスクにレーザ光を照射して情報を記録する際の記録パワーの制御方法において、
レーザ光の出力パワーの目標値を設定して情報の記録を開始し、
情報を記録中に上記レーザ光の出力パワーが上記目標値から所定量以上ずれたとき出力パワーの異常と判断し、
上記情報の記録を一旦停止し、
光ディスクから直前に記録した情報を再生して再生波形のβ値（振幅の対称性）を測定し、
該測定したβ値と目標のβ値の差に基づいて上記出力パワーの新たな目標値を設定し、
該新たに設定した出力パワーで情報の記録を再開することを特徴とする記録パワーの制御方法。
【請求項７】
請求項６記載の記録パワーの制御方法において、
前記出力パワーが一定になるように出力設定値を自動制御しているとき、出力設定値が該出力パワーに対する基準設定値から所定量以上ずれたとき前記出力パワーの異常と判断することを特徴とする記録パワーの制御方法。
【請求項８】
光ディスクにレーザ光を照射して情報を記録する際の記録パワーの制御方法において、
レーザ光の出力パワーの目標値を設定して情報の記録を開始し、
情報を記録中の周囲温度が記録開始時の周囲温度から所定量以上ずれたとき温度変化の異常と判断し、
上記情報の記録を一旦停止し、
光ディスクから直前に記録した情報を再生して再生波形のβ値（振幅の対称性）を測定し、
該測定したβ値と目標のβ値の差に基づいて上記出力パワーの新たな目標値を設定し、
該新たに設定した出力パワーで情報の記録を再開することを特徴とする記録パワーの制御方法。
【請求項９】
請求項６ないし８のいずれか１項記載の記録パワーの制御方法において、
前記情報を記録中に前記出力パワーの異常又は前記温度変化の異常と判断されない場合でも、前回の記録停止時点から所定間隔Ｌ１だけ隔てた時点で情報の記録を一旦停止し、前記再生波形のβ値を測定して前記新たに設定した出力パワーで情報の記録を再開することを特徴とする記録パワーの制御方法。
【請求項１０】
請求項６ないし８のいずれか１項記載の記録パワーの制御方法において、
前記情報を記録中に前記出力パワーの異常又は前記温度変化の異常と判断されない場合でも、前回の記録停止時点から所定間隔Ｌ１だけ隔てた時点で情報の記録を一旦停止し、前記再生波形のβ値を測定して前記新たに設定した出力パワーで情報の記録を再開するとともに、
前記情報を記録中に前記出力パワーの異常又は前記温度変化の異常と判断した場合、前回の記録停止時点から当該異常判断時点までの間隔が所定間隔Ｌ２（ただしＬ２＜Ｌ１）未満のときは、前回の記録停止時点から該所定間隔Ｌ２だけ隔てた時点で情報の記録を一旦停止し、前記再生波形のβ値を測定して前記新たに設定した出力パワーで情報の記録を再開することを特徴とする記録パワーの制御方法。
【発明の詳細な説明】
【技術分野】
【０００１】
本発明は、光ディスクにレーザ光を照射して情報を記録する光ディスク装置及びレーザ光を照射する際の記録パワーの制御方法に関するものである。
【背景技術】
【０００２】
光ディスクの高速記録化に対応するため記録用レーザパワーが大出力化・高精度化している。これに伴い、レーザ光源の発光特性のバラツキが無視できず、最適パワーのマージンが狭くなってきている。また、レーザ光源の発光特性は温度依存性を有するため、記録中に周囲温度が変動した場合記録パワーの補正が必要となる。記録品質を安定化させるためレーザ出力のバラツキ・変動を補正する方法として、記録中の戻り光を検出してレーザ出力を補正する方法があるが、光ディスクの高速回転化とともに戻り光の検出精度が低下して十分な補正精度を得るのが困難となっている。
【０００３】
一方、記録を一旦停止して記録信号の品質を評価してレーザ出力を補正する方法がある。例えば特許文献１には、記録動作開始時に試し書きを実行して最適パワーを検出するものであるが、ピックアップの周囲温度を測定し、その周囲温度に応じて試し書き条件（レーザ光制御電流）を補正することが記載される。あるいは、所定の記録パワーを照射したときのレーザ光制御電流を測定することでレーザダイオードの劣化具合を捉え、これに応じて試し書き条件を補正することが記載される。
【０００４】
また特許文献２には、光ディスクの回転速度を内周側から外周側へ段階的に大きくして情報を記録する方式（ゾーンＣＬＶ）において、回転速度を切り替える際に記録動作を一旦停止してこの時点でのβ値（シンメトリ）を測定し、測定したβ値と目標β値とを比較してβ値を補正し、β値の補正に対応してレーザ光の記録パワーを補正することが記載される。
【０００５】
【特許文献１】特開２００３−３１７２４７号公報
【特許文献２】特開２００５−９２９５０号公報
【発明の開示】
【発明が解決しようとする課題】
【０００６】
光ディスク装置において記録パワー調整を行う際、記録の高速化と記録品質の安定化が求められている。
【０００７】
前記特許文献１によれば、試し書き工程により最適記録パワーを精度良く設定することができるが、ディスク上の試し書き領域が限定されており、試し書き工程のための時間が掛かってセットアップ時間が長くなるという課題があり、記録の高速化を図る上で障害となる。
【０００８】
また前記特許文献２によれば、記録パワーを補正するタイミングは、回転速度が切り替わる時点に固定されている。そのため、記録動作の途中でレーザ発光特性に急激な変動があっても対応できず、ディスク全体に渡り記録品質の安定化を図ることが困難である。
【０００９】
本発明の目的は、記録時間の短縮と記録品質の安定化を両立させる光ディスク装置及び記録パワーの制御方法を提供することにある。
【課題を解決するための手段】
【００１０】
本発明の光ディスク装置は、光ディスクにレーザ光を照射する光ピックアップと、レーザ光の出力パワーを検出するフロントモニタと、レーザ光の出力パワーを制御するパワー制御部と、再生波形のβ値（振幅の対称性）を測定するβ値検出部と、フロントモニタとβ値検出部の出力に基づき、情報の記録動作とパワー制御部を制御するマイコンとを備える。マイコンは、パワー制御部に対しレーザ光の出力パワーの目標値を設定して情報の記録を開始させ、情報を記録中にフロントモニタの検出するレーザ光の出力パワーが目標値から所定量以上ずれたとき、出力パワーの異常と判断して情報の記録を一旦停止させる。そして、光ディスクから直前に記録した情報を再生してβ値検出部にて再生波形のβ値を測定させ、測定したβ値と目標のβ値の差に基づいてパワー制御部に対して出力パワーの新たな目標値を設定し、新たに設定した出力パワーで情報の記録を再開させる。
【００１１】
本発明の光ディスク装置は、光ディスクにレーザ光を照射する光ピックアップと、レーザ光の出力パワーを制御するパワー制御部と、再生波形のβ値（振幅の対称性）を測定するβ値検出部と、光ピックアップの周囲温度を検出する温度センサと、温度センサとβ値検出部の出力に基づき、情報の記録動作と上記パワー制御部を制御するマイコンとを備える。マイコンは、パワー制御部に対しレーザ光の出力パワーの目標値を設定して情報の記録を開始させ、情報を記録中の周囲温度が記録開始時の周囲温度から所定量以上ずれたとき、温度変化の異常と判断して情報の記録を一旦停止させる。そして、光ディスクから直前に記録した情報を再生して上記β値検出部にて再生波形のβ値を測定させ、測定したβ値と目標のβ値の差に基づいてパワー制御部に対して出力パワーの新たな目標値を設定し、新たに設定した出力パワーで情報の記録を再開させる。
【００１２】
また上記マイコンは、情報を記録中に出力パワーの異常又は温度変化の異常と判断しない場合でも、前回の記録停止時点から所定間隔Ｌ１だけ隔てた時点で情報の記録を一旦停止させ、再生波形のβ値を測定して新たに設定した出力パワーで情報の記録を再開させるとともに、情報を記録中に出力パワーの異常又は温度変化の異常と判断した場合、前回の記録停止時点から当該異常判断時点までの間隔が所定間隔Ｌ２（ただしＬ２＜Ｌ１）未満のときは、前回の記録停止時点から所定間隔Ｌ２だけ隔てた時点で情報の記録を一旦停止させ、再生波形のβ値を測定して新たに設定した出力パワーで情報の記録を再開させる。ここで、所定間隔Ｌ２＝０に設定することもできる。
【００１３】
本発明の記録パワーの制御方法は、レーザ光の出力パワーの目標値を設定して情報の記録を開始し、情報を記録中にレーザ光の出力パワーが目標値から所定量以上ずれたとき出力パワーの異常と判断し、情報の記録を一旦停止する。そして、光ディスクから直前に記録した情報を再生して再生波形のβ値（振幅の対称性）を測定し、測定したβ値と目標のβ値の差に基づいて出力パワーの新たな目標値を設定し、新たに設定した出力パワーで情報の記録を再開する。
【００１４】
本発明の記録パワーの制御方法は、レーザ光の出力パワーの目標値を設定して情報の記録を開始し、情報を記録中の周囲温度が記録開始時の周囲温度から所定量以上ずれたとき温度変化の異常と判断し、情報の記録を一旦停止する。そして、光ディスクから直前に記録した情報を再生して再生波形のβ値（振幅の対称性）を測定し、測定したβ値と目標のβ値の差に基づいて出力パワーの新たな目標値を設定し、新たに設定した出力パワーで情報の記録を再開する。
【発明の効果】
【００１５】
本発明によれば、記録時間の短縮と記録品質の安定化を両立させる光ディスク装置及び記録パワーの制御方法を提供する。
【発明を実施するための最良の形態】
【００１６】
以下、本発明の実施の形態を図面に基づいて説明する。
【実施例１】
【００１７】
図１は、本発明による光ディスク装置の一実施例を示すブロック構成図である。光ディスク１が装着されると、ディスクモータ２は、ディスクモータ駆動回路６から供給される駆動電力によって、光ディスク１を回転する。光ピックアップ３は、光ディスク１に対して記録用レーザを照射して情報を記録するとともに、光ディスク１から情報を再生する。また光ピックアップ３は周囲温度を測定する温度センサ５を有し、マイコン２１に伝える。記録の際、フロントモニタ４で出力パワーを検出し、レーザパワー制御回路９は光ピックアップ３のレーザ光が所定のパワーで照射するよう、レーザドライバ１０の制御電流を制御する。ＲＦ信号生成回路７は光ディスク１から再生された信号からＲＦ信号を生成し、またβ値検出回路８は、ＲＦ信号の正負振幅のシンメトリ（以下、β値）を測定する。マイコン１２は、測定したβ値を目標β値と比較し、最適な記録パワーを算出してレーザパワー制御回路９の制御条件を設定する。メモリ１３はＥＰ−ＲＯＭやフラッシュＲＯＭであって、目標β値や最適記録パワーを求めるための補正式を記憶する。デコーダ１１は、光ディスク１から再生された信号をデコードし、エンコーダ１４は光ディスク１に記録する信号をエンコード処理する。
【００１８】
本実施例では、記録中に光ピックアップ３から出力されるレーザパワーをフロントモニタ４にて常時検出している。マイコン１２は、検出したパワーを記録開始時に設定した目標のパワーと比較してその差（変化率）が所定値（閾値）以上となった場合に、出力パワーが「異常」であると判定する。「異常」の場合には、β値検出回路８にて光ディスクから直前の記録済信号のβ値を測定し、目標β値との差に応じて予め定めた補正式を用いて出力パワーを補正するものである。このように本実施例では、単に光ピックアップ３の出力パワーのずれを解消するのではなく、記録品質を反映するβ値を基に出力パワーを補正するので、より精度の高い補正が可能となる。
【００１９】
図２は、本実施例における出力パワーの異常を検出する方法を説明する図である。横軸は設定パワーで縦軸はフロントモニタ４で検出される出力パワー（フロントモニタ値）を示す。理想的な光ピックアップ３の特性は、符号２０で示すように設定パワーＰ０と出力パワーは直線的な関係を示す。しかしながら実際の光ピックアップ３では、符号２１で示すように、高パワー領域において設定通りのパワーが出力されない場合がある（レーザダイオードの特性バラツキや飽和現象等が原因）。出力パワーの異常は、フロントモニタの検出値を常時チェックすることで、記録中に目標のレーザパワーが出力されているかどうかを判定する。すなわち、目標のパワーＭ０と実際に出力されたパワーＭ１とを比較し、その変化率ΔＭ（＝Ｍ０−Ｍ１）／Ｍ０が所定値（例えば閾値を５％とする）以上になったら、出力パワーが異常であると判定する。ここでの閾値は、出力パワー低下により記録品質の劣化が開始する条件から決めればよい。
【００２０】
図３は、出力パワーが異常であると判定したときの制御方法を説明する図である。出力パワーが異常と判定された場合は、一旦記録を停止して、光ディスクから直前に記録した領域の記録済信号を再生し、β値検出回路８により記録品質β値を測定する。ここにβ値は再生信号の正負振幅の対称性を示す指標である。測定したβ値を目標のβ値と比較して、新たな出力パワーの目標値Ｐ１を設定する。設定が完了したら、変更後の記録パワーで記録を再開する。
【００２１】
図４は、出力パワーの補正方法（補正式）を説明する図である。記録パワーの増加とともに、β値は負値から正値へ変化し、最適記録パワーは、β値がゼロまたはその近傍の値となるときに得られ、このβ値を目標β（＝β０）とする。記録済信号から測定したβ値をβ１とすると、その差Δβ（＝β０−β１）を求め、記録パワーを現在の設定値Ｐ０からα＝１＋ｋ・Δβ倍だけ増加（アップレート）した値Ｐ１に変更して設定する。ここに係数ｋは固定値、またはパワー値に依存する可変値であり、これらの補正式や係数はメモリ１３に記憶する。
【００２２】
β値の差Δβ（＝β０−β１）に対し設定パワーをフルに補正すると補正後の出力パワーは安定しないことがある。よって制御が収束しやすいように、補正係数ｋはダンピング係数を含めて設定するのが良い。
【００２３】
図５は、本実施例における記録パワーの制御方法を示すフローチャートである。まず出力パワーの目標値Ｐ０を設定し（Ｓ１０２）、このパワー値に対する目標のフロントモニタ値Ｍ０を決定する（Ｓ１０３）。データ（情報）の記録を開始し（Ｓ１０４）、これと並行してフロントモニタ４にて現在の出力パワーを示すフロントモニタ値Ｍ１を取得する（Ｓ１０６）。そして、目標値Ｍ０と取得値Ｍ１とを比較する（Ｓ１０７）。モニタ値の変化率ΔＭ（＝Ｍ０−Ｍ１）／Ｍ０が閾値（例えば５％）未満であれば、記録パワーはそのままで記録を継続する。モニタ値の変化率ΔＭ／Ｍ０が閾値以上であれば、出力パワーが異常であると判定して、一旦記録を停止する（Ｓ１０８）。そして、記録停止位置直前の記録済データを再生し、β値検出回路８にてβ値（β１）を測定する（Ｓ１０９）。測定値β１と目標のβ値（β０）と補正係数ｋとを用いて、アップレート値α＝１＋ｋ・（β０−β１）を算出する（Ｓ１１０）。現在のパワー設定値Ｐ０に対して、算出したアップレート値αを乗算して新たなパワー値Ｐ１を決定する（Ｓ１１１）。Ｓ１０２に戻り、新たなパワー値Ｐ１で目標パワーを再設定し、データの記録を再開する。以下これを繰り返す。
【００２４】
本実施例の制御方法によれば、フロントモニタ４により出力パワー（フロントモニタ値）を常時監視している（Ｓ１０６）ので、出力パワーの異常を確実に検知することができる。その際、記録品質チェックのための定期的な記録中断を廃止している。また、異常を検知した際に、時間の掛かる試し書き工程を廃止し、記録済み信号のβ値を測定し（Ｓ１０９）、メモリ１３に記憶する補正式を用いて新たなパワー値を設定する（Ｓ１１０、Ｓ１１１）ので、補正処理は短時間に完了する。これにより、記録時間の短縮と記録品質の安定化を両立させることができる。
【実施例２】
【００２５】
記録ＡＰＣ（Ａｕｔｏ  Ｐｏｗｅｒ  Ｃｏｎｔｒｏｌ）の制御を行っている状態で、光ピックアップの特性が、高パワー領域において、出力パワーとその設定値との関係が所定の関係から外れる場合があり、本実施例は、これに対応して制御するものである。ここに記録ＡＰＣとは、記録中の出力パワー（フロントモニタ値）が目標値となるように、レーザパワー制御回路９が自動的にパワー設定値を最適値に変化させる機能である。本実施例にかかる光ディスク装置の構成は、前記図１と同様である。
【００２６】
図６は、本実施例における出力パワーの異常を検出する方法を説明する図である。横軸は、ＡＰＣパワー設定値で縦軸はフロントモニタ値（出力パワー）を示す。符号６０は、正常な光ピックアップの特性を示し、モニタ値Ｍ０に対するパワー設定値はＰ０（基準値）である。ところが、フロントモニタの検出感度の劣化等が原因でモニタ値が正しい出力パワーからずれる場合がある。その結果、符号６１で示すように、モニタ値Ｍ０に対するパワー設定値はＰ２に移動する。本実施例では、記録ＡＰＣの制御中のパワー設定値の変化を常時チェックすることで、目標のパワーが出力されているかどうかを判定する。記録開始時のパワー設定値Ｐ０（基準値）とＡＰＣ制御後のパワー設定値Ｐ２とを比較し、その変化率ΔＰ（＝Ｐ１−Ｐ０）／Ｐ０が所定値（例えば閾値を５％とする）以上となったら、出力パワーが異常であると判定する。
【００２７】
出力パワーが異常であると判定したら、一旦記録を停止し、前記図３及び図４と同様の制御方法、補正方法に従って記録パワーを変更して設定する。
【００２８】
図７は、本実施例における記録パワーの制御方法を示すフローチャートである。まず出力パワーの目標値Ｐ０を設定し（Ｓ２０２）、記録ＡＰＣ制御をＯＮとして（Ｓ２０３）、データの記録を開始する（Ｓ２０４）。記録ＡＰＣの制御によりパワー設定値は変動しており、現在の設定値Ｐ２を取得する（Ｓ２０６）。そして、記録開始時の目標値Ｐ０とＡＰＣ制御後の取得値Ｐ２とを比較する（Ｓ２０７）。設定値の変化率ΔＰ（＝Ｐ２−Ｐ０）／Ｐ０が閾値（例えば５％）未満であれば、記録パワーはそのままで記録を継続する。設定値の変化率ΔＰ／Ｐ０が閾値以上であれば、出力パワーが異常であると判定して、一旦記録を停止する（Ｓ２０８）。そして、記録停止位置直前の記録済データを再生し、β値検出回路８にてβ値（β２）を測定する（Ｓ２０９）。測定値β２と目標のβ値（β０）と補正係数ｋとを用いて、アップレート値α＝１＋ｋ・（β０−β２）を算出する（Ｓ２１０）。現在のパワー設定値Ｐ２に対して、算出したアップレート値αを乗算して新たなパワー値Ｐ３を決定する（Ｓ２１１）。Ｓ２０２に戻り、新たなパワー値Ｐ３で目標パワーを再設定し、データの記録を再開する。
【００２９】
本実施例の制御方法によれば、ＡＰＣ制御後の出力パワー設定値を常時監視している（Ｓ２０６）ので、出力パワーが異常であることを確実に検知するとともに、記録品質チェックのための定期的な記録中断を廃止している。また、異常を検知した際に、時間のかかる試し書き工程を廃止し、記録済み信号のβ値を測定する（Ｓ２０９）だけで新たなパワー値を設定する（Ｓ２１０、Ｓ２１１）ので、補正処理は短時間に完了する。これにより、記録時間の短縮と記録品質の安定化を両立させることができる。
【実施例３】
【００３０】
光ピックアップ（レーザ光源）の特性は、周囲温度が変化すると、出力パワー（フロントモニタ値）が変動する場合があり、本実施例は、これに対応して制御するものである。本実施例にかかる光ディスク装置の構成は、前記図１と同様である。
【００３１】
図８は、周囲温度変化の異常の検出方法を説明する図である。横軸は記録時間を、縦軸は光ピックアップ内の温度センサ５で検出した周囲温度である。記録開始後周囲温度は上昇し、符号８０で示すカーブを描く。そして、初期温度Ｔ０と現在温度Ｔ１とを比較し、その差ΔＴ（＝Ｔ１−Ｔ０）が所定値（例えば閾値を５℃とする）以上となったら、温度変化量が異常であると判定する。ここでの閾値は、温度変化により記録品質の劣化が開始する条件から決めればよい。
【００３２】
温度変化が異常であると判定したら、一旦記録を停止し、前記図３及び図４と同様の制御方法、補正方法に従って記録パワーを変更して設定する。
【００３３】
図９は、本実施例における記録パワーの制御方法を示すフローチャートである。まず出力パワーの目標値Ｐ０を設定し（Ｓ３０２）、温度センサ５にて記録開始時の初期温度Ｔ０を取得する（Ｓ３０３）。データの記録を開始し（Ｓ３０４）、これと並行して温度センサ５にて現在の温度Ｔ１を取得する（Ｓ３０６）。そして、初期温度Ｔ０と現在温度Ｔ１とを比較する（Ｓ３０７）。温度差ΔＴ（＝Ｔ１−Ｔ０）が閾値（例えば５℃）未満であれば、記録パワーはそのままで記録を継続する。温度差ΔＴが閾値以上であれば、温度変化が異常であると判定して、一旦記録を停止する（Ｓ３０８）。そして、記録停止位置直前の記録済データを再生し、β値検出回路８にてβ値（β３）を測定する（Ｓ３０９）。測定値β３と目標のβ値（β０）と補正係数ｋとを用いて、アップレート値α＝１＋ｋ・（β０−β３）を算出する（Ｓ３１０）。現在パワー設定値Ｐ０に対して、算出したアップレート値αを乗算して新たなパワー値Ｐ３を決定する（Ｓ３１１）。Ｓ３０２に戻り、新たなパワー値Ｐ３で目標パワーを再設定し、データの記録を再開する。
【００３４】
本実施例の制御方法によれば、温度センサ５により出力パワーの変動要因となる周囲温度変化を常時監視している（Ｓ３０６）ので、出力パワーの異常を確実に検知するとともに、記録品質チェックのための定期的な記録中断を廃止している。また、異常を検知した際に、時間の掛かる試し書き工程を廃止し、記録済み信号のβ値を測定する（Ｓ３０９）だけで新たなパワー値を設定する（Ｓ３１０、Ｓ３１１）ので、補正処理は短時間に完了する。これにより、記録時間の短縮と記録品質の安定化を両立させることができる。
【００３５】
上記した各実施例１、２、３は、それぞれ異なる方法で出力パワーの異常を検出するものであるが、これらは単独でも、また組み合わせても適用できる。これらを組み合わせて異常を検出するようにすれば、より確実に記録パワーの制御を行うことができる。
【００３６】
以下、本実施例による記録時間短縮の効果を説明する。
【００３７】
図１０は、比較のために従来方式による記録パワー補正のタイミングの一例を説明する図である。横軸はディスク上の半径方向記録位置（すなわち記録時間に対応する）を示し、２層ディスクにおいて内周→外周→内周と記録する場合である。縦軸は記録データの転送レートを示し、下向きの突起部分は、記録が停止してデータの転送が止まった箇所である。従来技術では、固定間隔Ｌ０で定期的にデータ記録を停止し、記録品質を測定して補正するものである。
【００３８】
これに対し図１１は、本実施例による記録パワー補正のタイミングの一例を説明する図である。ここでは実施例１，２，３の手法を組み合わせて異常を検出し、異常を検出した時点で記録を停止し、記録品質を測定し補正するものである。図から分かるように、本実施例での記録品質を測定するタイミングは異常検出のタイミングで決まり、不定間隔（Ｌ，Ｌ’，Ｌ”）となる。図１０の従来方式に比較すると、記録停止の無駄を省き測定回数が減少し、それだけ記録時間の短縮を図ることができる。仮に図１０において固定間隔Ｌ０を過度に広げて測定回数を減らした場合には、異常発生を見逃したり、またそれに対する対応が遅れたりする恐れがあり、ディスク全体に渡り記録品質を保証できなくなる。
【実施例４】
【００３９】
図１２は、本発明による記録パワーの制御方法の、さらに他の実施例を示す図である。横軸はディスク上の半径方向記録位置（記録時間）、縦軸はデータ転送レートであり、記録パワー補正のタイミングを示す。
【００４０】
本実施例では、常時出力パワーの異常を監視するが、正常時は最大間隔Ｌ１にて記録パワーを補正することと、異常時は最小間隔Ｌ２にて記録パワーを補正することを併用した方式としている。ここに、Ｌ２＜Ｌ０＜Ｌ１の関係とする。その際出力パワーの異常は、前記各実施例に述べた方法（フロントモニタ値や周囲温度の変化）により判定する。そして、異常が検知されなくとも前回の記録停止時点から最大間隔Ｌ１だけ隔てた時点で記録を停止し、記録品質（β値）を測定して記録パワーを補正する。また、異常と判定したら、前回の記録停止時点から最小間隔Ｌ２以上隔てた時点にて記録を停止し、記録品質を測定して記録パワーを補正する。最小間隔Ｌ２を設定することで、補正の処理が僅かに遅延する場合があるが、Ｌ２の値は記録品質には支障がない程度に設定する。
【００４１】
図面を用いて説明する。スタート位置Ｘ０にてパワーを初期設定し、最大間隔Ｌ１の第１の区間で異常なしであるが、区間の終点Ｘ１にてパワー補正を実施する。次の第２の区間では途中の位置Ｘ２にて異常を検出したとする。第２の区間の起点Ｘ１から異常検出点Ｘ２までの距離（Ｘ２−Ｘ１）が最小間隔Ｌ２よりも小さい場合には、起点Ｘ１から最小間隔Ｌ２だけ隔てた位置Ｘ３にてパワー補正を実施する。続いて、補正位置Ｘ３を起点として第３の区間の異常を監視する。以後これを繰り返し、図では、位置Ｘ７にて再び異常を検出する。異常検出点Ｘ７はこの区間の起点Ｘ６からの距離（Ｘ７−Ｘ６）が既に最小間隔Ｌ２を超えている。この場合には、異常検出点Ｘ７において直ちにパワー補正を実施する。つまり、ここでの補正間隔はＬ１とＬ２の中間の値となる。
【００４２】
この制御の結果、補正間隔は最大値Ｌ１と最小値Ｌ２の間に収めることができる。すなわち、補正間隔が過大または過小になることがなく、時間効率が良いと共に異常時に確実に対応できるという効果がある。
【００４３】
本実施例の典型的な例として、最小間隔Ｌ２＝０に設定することも可能である。すなわち、異常検出したら直ちに記録を停止し、記録パワーの補正を行うものである。その場合も最大間隔Ｌ１にて記録パワーを補正することを併用するので、ディスク全体に渡り記録品質を保証できる効果がある。
【図面の簡単な説明】
【００４４】
【図１】本発明による光ディスク装置の一実施例（実施例１）を示すブロック構成図。
【図２】本実施例における出力パワーの異常の検出方法を説明する図。
【図３】出力パワーが異常であると判定したときの制御方法を説明する図。
【図４】出力パワーの補正方法（補正式）を説明する図。
【図５】本実施例における記録パワーの制御方法を示すフローチャート。
【図６】本発明による光ディスク装置の他の実施例（実施例２）における出力パワーの異常の検出方法を説明する図。
【図７】本実施例における記録パワーの制御方法を示すフローチャート。
【図８】本発明による光ディスク装置の他の実施例（実施例３）における周囲温度変化の異常の検出方法を説明する図。
【図９】本実施例における記録パワーの制御方法を示すフローチャート。
【図１０】従来方式による記録パワー補正のタイミングの一例を説明する図。
【図１１】本実施例による記録パワー補正のタイミングの一例を説明する図。
【図１２】本発明による記録パワーの制御方法の、さらに他の実施例（実施例４）を示す図。
【符号の説明】
【００４５】
１…光ディスク、２…ディスクモータ、３…光ピックアップ、４…フロントモニタ、５…温度センサ、８…β値検出回路、９…レーザパワー制御回路、１０…レーザドライバ、１２…マイコン、１３…メモリ。
【図１】
2007080404.tif 000003
【図２】
2007080404.tif 000004
【図３】
2007080404.tif 000005
【図４】
2007080404.tif 000006
【図５】
2007080404.tif 000007
【図６】
2007080404.tif 000008
【図７】
2007080404.tif 000009
【図８】
2007080404.tif 000010
【図９】
2007080404.tif 000011
【図１０】
2007080404.tif 000012
【図１１】
2007080404.tif 000013
【図１２】
2007080404.tif 000014